(57)【要約】      （修正有）【課題】装飾性に優れた飾り鋲に反射性を備えることで、見た目だけでなく、安全性などの機能性にも優れた飾り鋲およびそれを備えたランドセルを提供する。【解決手段】飾り鋲１は、装飾体と固定部４との間にシート状の反射材３を挿入し、飾り鋲に反射機能を備え、更に本飾り錠１をランドセルの左右大襠、ランドセルの被せ蓋６、及び背負いバンドに装着した。【選択図】図２
0003215276.tif 000002
【実用新案登録請求の範囲】
【請求項１】
光を透過するガラス素材、樹脂素材、又は天然石からなる装飾体と、前記装飾体が保持される保持部を有する固定部とで構成され、前記装飾体と前記保持部の間にシート状の反射材が設けられていることを特徴とする飾り鋲。
【請求項２】
請求項１に記載の飾り鋲において、前記装飾体は、前記固定部の上面から高く盛り上がり、該盛り上がり外周面にカットが施された立体形状とされていることを特徴とする飾り鋲。
【請求項３】
請求項１又は２に記載の飾り鋲において、前記固定部は、その上面の中間部に前記保持部となる嵌合凹部が形成され、嵌合凹部内には前記装飾体が嵌合固定され、嵌合凹部内の底面における装飾体の裏面には前記反射材が挿入され、固定部における保持部の外周には、リボン型又は笠型などの立体的な凹凸による装飾部が一体的に形成されていることを特徴とする飾り鋲。
【請求項４】
請求項１乃至３のいずれか１項に記載の飾り鋲を、少なくとも、ランドセルの被せ蓋下部の左右に装着してなることを特徴とするランドセル。
【請求項５】
請求項１乃至３のいずれか１項に記載の飾り鋲を、ランドセルの被せ蓋、左右大襠、及び背負いバンドに装着してなることを特徴とするランドセル。
【考案の詳細な説明】
【技術分野】
【０００１】
本考案は、ランドセルに取り付けられる飾り鋲およびそれを装着したランドセルに関するものである。
【背景技術】
【０００２】
一般的にランドセルには構成部品を連結するために鋲が使われるが、連結する目的だけでなく、見た目を飾るために、あるいは機能性を高めるために鋲が取り付けられている。例えば、特許文献１には、表座板に光シートを重ね軸杆により固定した止め鋲が開示されている。
【０００３】
特許文献１の止め鋲は、光シートが暗い所で発光するため、安全性の点では優れている反面、見た目をよくするための装飾性は施されていない。
【先行技術文献】
【特許文献】
【０００４】
【特許文献１】実用新案登録第３０３３８０８号公報
【考案の概要】
【考案が解決しようとする課題】
【０００５】
本考案は、上記の点に鑑み、装飾性に優れた飾り鋲に反射性を備えることで、見た目だけでなく、安全性などの機能性にも優れた飾り鋲およびそれを備えたランドセルを提供することを目的としている。
【課題を解決するための手段】
【０００６】
前記目的を達成するための手段を、図の実施形態を参照して説明する。
【０００７】
請求項１に記載の本考案に係る飾り鋲１は、光を透過するガラス素材、樹脂素材、又は天然石からなる装飾体２と、装飾体２が保持される保持部４b を有する固定部４との間にシート状の反射材３を挿入したことを特徴としている。
【０００８】
請求項２に記載の本考案に係る飾り錠１は、請求項１に記載の飾り鋲１において、装飾体２は、固定部５の上面から高く盛り上がり、該盛り上がり外周面にカットが施された立体形状とされていることを特徴としている。
【０００９】
請求項３に記載の本考案に係る飾り錠１は、請求項１又は２に記載の飾り鋲１において、前記固定部５は、その上面の中間部に前記保持部４b となる嵌合凹部が形成され、嵌合凹部内には前記装飾体２が嵌合固定固定され、嵌合凹部内における装飾体２の裏面には、前記反射材３が挿入され、固定部５における保持部４b の外周には、リボン型又は笠型などの立体的な凹凸による装飾部４ａが一体的に形成されていることを特徴としている。
【００１０】
請求項４に記載の本考案に係るランドセル１０は、請求項１乃至３のいずれか１項に記載の飾り鋲１を、少なくとも、ランドセル１０の被せ蓋６下部の左右に装着してなることを特徴としている。
【００１１】
請求項５に記載の本考案に係るランドセル１０は、請求項１乃至３のいずれか１項に記載の飾り鋲１を、ランドセル１０の被せ蓋６、左右大襠１１、及び背負いバンド１２に装着してなることを特徴としている。
【考案の効果】
【００１２】
請求項１に記載の本考案では、この飾り鋲１では、光を透過する装飾体２と、装飾体２を保持する固定部４の保持部４b （嵌合凹部）の間にシート状の反射材３が挿入されていることで、光が当たった時、光が装飾体２を通過し、シート状の反射材３で光が反射され光ることによって、暗い場所でも児童を認識出来る。
【００１３】
請求項２に記載の本考案では、装飾体２は外周面にいろいろなカットが施されることによって、光の乱反射が起き、様々な方向で光を認識できるようになり、暗い場所での安全効果がより高くなる。
【００１４】
この装飾体２は、光を透過させるために、ガラス素材、樹脂素材、又は天然石を使用する。この装飾体２には無色透明素材だけでなく、赤や青の有色透明な素材も使用することが可能であり、また、高く盛り上げるカットを施すことによって、装飾性を高めることが出来る。更に、固定部５における保持部４ｂの外周に、リボン型又は笠型など様々な形の立体的な凹凸による装飾部４ａを一体的に形成するにことより、高いデザイン性を得ることが可能である。
【００１５】
請求項４及に記載の本考案では、このランドセル１０は、飾り鋲１をランドセルの被せ蓋６の下部の左右に装着することにより、児童にとって最も目が届かない後方部からの交通事故から守ることに役立つ。また、ランドセル１０の被せ蓋６は他人の目に入りやすいため、装飾性に優れた飾り鋲１を被せ蓋６に装着することで、安全性だけでなく、見た目もよくなる。              
【００１６】
請求項数５に記載の本考案では、このランドセル１０は、請求項４に記載の被せ蓋６に加えて、左右大襠１１、背負いバンド１２の各所に装着しているところから、方向に制限なく良く光り、機能性がより高くなる。
【図面の簡単な説明】
【００１７】
【図１】本考案による飾り鋲の平面図であって、リボン型（a)、傘型(b) をそれぞれ示している。
【図２】本考案の飾り鋲の固定後の状態を示す拡大断面図である。
【図３】本考案の飾り鋲を装着したランドセルを蓋側からみた斜視図(a）、及び背面図（ｂ）である。
【考案を実施するための形態】
【００１８】
以下、本考案を適用した実施の形態例を図１〜図３を参照して説明する。
【００１９】
図１は、本考案の実施形態に係る飾り鋲の平面図である。
実施形態に係る飾り鋲１は、光を透過するガラス素材、樹脂素材、又は天然石からなる装飾体２と、装飾体２が保持される嵌合凹部となる保持部４b を有する固定部４との間に、シート状の反射材３を挿入している。
【００２０】
装飾体２は、固定部５の上面から高く盛り上がり、該盛り上がり外周面にカットが施された立体形状とされている。
【００２１】
固定部５は、その上面の中間部に嵌合凹部となる保持部４b を有し、保持部４b 内に装飾体２を嵌合固定し、保持部４b の底面における装飾体２の裏面には、前記反射材３が挿入されている。また、固定部５における保持部４b の外周には、リボン型（図１ａ）又は笠型（図１ｂ）などの立体的な凹凸による装飾部４ａが一体的に形成されている。
【００２２】
リボン型(a) 、又は笠型(b) 、など様々な形の立体的な凹凸による装飾部４ａを一体的に形成するにことより、児童が好む様々な形にすることが可能である。
装飾体２と装飾部４ａにより、いわゆるクラウン部を構成している。
【００２３】
図２は、本考案の実施形態に係る飾り鋲１をランドセル１０に固定した状態を示す拡大断面図である。
飾り鋲１は、取付金具５によりランドセル１０外周壁に取付固定される。取付金具５は、ランドセル外周壁の各位置に空けた取付孔９に、雄部７と雌部８とがかしめられて固定される。雄部７は、固定部４の背面に一体的に形成されている。
【００２４】
この飾り鋲１は、光を透過する装飾体２と固定部４の保持部４b 底面との間にシート状の反射材３を挿入している。光が当たった時、光が装飾体２を通過し、シート状の反射材３で光が反射される。
【００２５】
装飾体２は外周面にいろいろなカットを施すことによって、光の乱反射が起き、様々な方向で光を認識できるようになり、暗い場所での安全効果がより高くなる。
【００２６】
この装飾体２は、光を透過させるために、ガラス素材、樹脂素材、又は天然石を使用する。この装飾体２には無色透明素材だけでなく、赤や青の有色透明な素材も使用することが可能であり、また、高く盛り上げるカットを施すことによって、更に装飾性を高めることが出来る。
【００２７】
図３は、飾り鋲１をランドセルの被せ蓋６、左右大襠１１、背負いバンド１２に装着した本考案の実施形態に係るランドセル１０を示す。
このランドセル１０は、飾り鋲１をランドセルの被せ蓋６の下部の左右に装着することにより、児童にとって最も目が届かない後方部からの交通事故から守ることに役立つ。また、ランドセル１０の被せ蓋６は他人の目に入りやすいため、安全性だけでなく、装飾性に優れた飾り鋲１を被せ蓋６に装着することで、見た目にも優れたランドセル１０となる。
【００２８】
また、このランドセル１０は、被せ蓋６に加えて、左右大襠１１、背負いバンド１２の各所に装着しているから、様々な方向に制限なく良く光り、機能性がより高くなる。
【符号の説明】
【００２９】
１  飾り鋲
２  装飾体
３  シート状反射材
４  固定部  、４a   装飾部  、４b   保持部  
５  取付金具
６  ランドセルの被せ蓋
７  雄部
８  雌部
９  取付け孔
１０  ランドセル
１１  大襠
１２  背負いバンド
【図１】
0003215276.tif 000003
【図２】
0003215276.tif 000004
【図３】
0003215276.tif 000005